(57)【要約】【課題】簡単な構造によってワイヤを確実に所定の波形状に成形することのできる波形状ワイヤの成形方法及びその装置を提供する。【解決手段】互いにワイヤＷＡの長さ方向に間隔をおいて配置された第１突出部３０がワイヤＷＡに一側方から当接するとともに、各第１突出部３０とワイヤＷＡの長さ方向に互い違いに配置された第２突出部４０がワイヤＷＡに他側方から当接することにより、ワイヤＷＡが一側方及び他側方に互い違いに屈曲し、また、各ベルト１０，２０の回動によってワイヤＷＡが長さ方向に搬送されることから、材料ロールＲから供給されるワイヤＷＡを連続的に波形状に成形することができるとともに、各突出部３０，４０の位置を変えることにより波形状に成形されたワイヤＷＡの幅寸法を容易且つ確実に調整することができる。【選択図】図３
2006334643.tif 000002
【特許請求の範囲】
【請求項１】
所定のワイヤ供給源から供給される金属製のワイヤを長手方向に対する一側方及び他側方に互い違いに屈曲させて波形状のワイヤを成形する波形状ワイヤの成形方法において、
互いにワイヤの長さ方向に所定の間隔をおいて設けられた複数の第１突出部をワイヤに沿うように移動させながらワイヤに一側方から当接させるとともに、
各第１突出部とワイヤの長さ方向に互い違いに設けられた複数の第２突出部をワイヤに沿うように移動させながらワイヤに他側方から当接させることにより、ワイヤを各突出部の移動方向に搬送しながらワイヤの一側方及び他側方に互い違いに屈曲させる
ことを特徴とする波形状ワイヤの成形方法。
【請求項２】
前記各突出部の当接している範囲のワイヤに前記屈曲方向と直交する方向から一対のガイド部材を当接させることにより、ワイヤの前記屈曲方向と直交する方向への屈曲を規制する
ことを特徴とする請求項１記載の波形状ワイヤの成形方法。
【請求項３】
所定のワイヤ供給源から供給される金属製のワイヤをその長さ方向に対する一側方及び他側方に互い違いに屈曲させて波形状のワイヤを成形する波形状ワイヤの成形装置において、
前記ワイヤ供給源から供給されるワイヤの一側方に設けられ、周方向の一部がワイヤに沿うように回動する第１無端状部材と、
ワイヤの他側方に第１無端状部材と対向するように設けられ、周方向の一部がワイヤに沿うように回動する第２無端状部材と、
第１無端状部材の外周面に互いにワイヤの長さ方向に所定の間隔をおいて設けられ、ワイヤに一側方からそれぞれ当接可能な複数の第１突出部と、
第２無端状部材の外周面に各第１突出部とワイヤの長さ方向に互い違いに配置されるように設けられ、ワイヤに他側方からそれぞれ当接可能な複数の第２突出部とを備えた
ことを特徴とする波形状ワイヤの成形装置。
【請求項４】
前記各突出部の当接している範囲のワイヤに前記屈曲方向と直交する方向から当接可能な一対のガイド部材を備えた
ことを特徴とする請求項３記載の波形状ワイヤの成形装置。
【請求項５】
前記各無端状部材の周方向の一部に無端状部材の内側から当接することにより、無端状部材のワイヤ側方への撓みを規制する規制部材を備えた
ことを特徴とする請求項３または４記載の波形状ワイヤの成形装置。
【発明の詳細な説明】
【技術分野】
【０００１】
本発明は、例えばトラック用またはバス用の大型タイヤの外周部を補強するために用いられる波形状ワイヤの成形方法及びその装置に関するものである。
【背景技術】
【０００２】
一般に、この種の大型タイヤは、タイヤの外周部に周方向に延びる複数の金属製のワイヤを設けることにより、タイヤの外周部を補強する場合がある（例えば、特許文献１参照。）。また、未加硫タイヤの外周部にワイヤが巻付けられた後、未加硫タイヤが加硫型内で加硫成型されるので、ワイヤは加硫成型時のタイヤ外周部の拡径に応じて周方向に伸びる必要があり、伸びを許容するためにワイヤは波形状に成形されている。
【０００３】
このような波形状のワイヤを成形する成形装置としては、ワイヤを供給するワイヤ供給源と、ベルト部材を巻付ける成形ドラムと、成形ドラム上のベルト部材にワイヤ供給源から供給されるワイヤを案内するガイド部材とを備え、成形ドラムを所定の速度で回転させながらガイド部材からワイヤを送り出すとともに、ガイド部材をワイヤの長さ方向に対する一側方及び他側方に所定の周期で往復動させることにより、ワイヤを成形ドラム上のベルト部材に巻付けながら、ワイヤを波形状に成形するようにしたものが知られている（例えば、特許文献２参照。）。
【特許文献１】特表２００４−５３４６８８号公報
【特許文献２】特開２００２−２０５３４６号公報
【発明の開示】
【発明が解決しようとする課題】
【０００４】
しかしながら、前記装置では、ワイヤをベルト部材に巻付けながら波形状に屈曲させるので、ワイヤの剛性及びベルト部材の硬さによって波形状に成形されたワイヤの幅寸法がばらつくという問題点があった。
【０００５】
また、ワイヤの剛性及びベルト部材の硬さによらずワイヤを所定の幅寸法の波形状に成形するには、ワイヤの剛性及びベルト部材の硬さに応じてガイド部材の往復動の振幅を制御する必要があり、装置が複雑になり製造コストが高くつくという問題点があった。
【０００６】
本発明は前記問題点に鑑みてなされたものであり、その目的とするところは、簡単な構造によってワイヤを確実に所定の波形状に成形することのできる波形状ワイヤの成形方法及びその装置を提供することにある。
【課題を解決するための手段】
【０００７】
本発明は前記目的を達成するために、所定のワイヤ供給源から供給される金属製のワイヤをその長さ方向に対する一側方及び他側方に互い違いに屈曲させて波形状のワイヤを成形する波形状ワイヤの成形方法において、互いにワイヤの長さ方向に所定の間隔をおいて設けられた複数の第１突出部をワイヤに沿うように移動させながらワイヤに一側方から当接させるとともに、各第１突出部とワイヤの長さ方向に互い違いに設けられた複数の第２突出部をワイヤに沿うように移動させながらワイヤに他側方から当接させることにより、ワイヤを各突出部の移動方向に搬送しながらワイヤの一側方及び他側方に互い違いに屈曲させるようにしている。
【０００８】
これにより、互いにワイヤの長さ方向に間隔をおいて配置された各第１突出部をワイヤに一側方から当接させるとともに、各第１突出部とワイヤの長さ方向に互い違いに配置された各第２突出部をワイヤの他側方から当接させることによりワイヤが一側方及び他側方に互い違いに屈曲し、また、各突出部の移動によってワイヤが長さ方向に搬送されることから、ワイヤ供給源から供給されるワイヤを連続的に波形状に成形することができるとともに、各突出部の位置を変えることにより、波形状に成形されたワイヤの幅寸法を調整することができる。
【０００９】
また、本発明は前記目的を達成するために、所定のワイヤ供給源から供給される金属製のワイヤをその長さ方向に対する一側方及び他側方に互い違いに屈曲させて波形状のワイヤを成形する波形状ワイヤの成形装置において、前記ワイヤ供給源から供給されるワイヤの一側方に設けられ、周方向の一部がワイヤに沿うように回動する第１無端状部材と、ワイヤの他側方に第１無端状部材と対向するように設けられ、周方向の一部がワイヤに沿うように回動する第２無端状部材と、第１無端状部材の外周面に互いにワイヤの長さ方向に所定の間隔をおいて設けられ、ワイヤに一側方からそれぞれ当接可能な複数の第１突出部と、第２無端状部材の外周面に各第１突出部とワイヤの長さ方向に互い違いに配置されるように設けられ、ワイヤに他側方からそれぞれ当接可能な複数の第２突出部とを備えている。
【００１０】
これにより、互いにワイヤの長さ方向に間隔をおいて配置された各第１突出部をワイヤに一側方から当接させるとともに、各第１突出部とワイヤの長さ方向に互い違いに配置された各第２突出部をワイヤの他側方から当接させることによりワイヤが一側方及び他側方に互い違いに屈曲し、また、各無端状部材の回動によってワイヤが長さ方向に搬送されることから、ワイヤ供給源から供給されるワイヤを連続的に波形状に成形することができるとともに、各突出部の位置を変えることにより、波形状に成形されたワイヤの幅寸法を調整することができる。
【発明の効果】
【００１１】
本発明によれば、ワイヤ供給源から供給されるワイヤを連続的に波形状に成形することができるとともに、各突出部の位置を変えることにより、波形状に成形されたワイヤの幅寸法を容易且つ確実に調整することができるので、簡単な構造によってワイヤを確実に所定の波形状に成形することができる。
【発明を実施するための最良の形態】
【００１２】
図１乃至図８は本発明の一実施形態を示すもので、図１は波形状ワイヤ成形装置及び成形ドラムの平面図、図２は波形状ワイヤ成形装置及び成形ドラムの正面図、図３は波形状ワイヤ成形装置の平面図、図４は図１におけるＡ−Ａ線断面図、図５は波形状ワイヤ成形装置の正面図、図６は波形状ワイヤ成形装置の要部斜視図、図７は成形ドラムの平面図、図８は成形ドラムの正面図である。
【００１３】
本発明の波形状ワイヤ成形装置は、ワイヤ供給源としての材料ロールＲから一対の位置決めローラ１を介して供給される金属製のワイヤＷＡの長さ方向に対する一側方に設けられた第１無端状部材としての第１ベルト１０と、ワイヤＷＡの他側方に第１ベルト１０と対向するように設けられた第２無端状部材としての第２ベルト２０と、第１ベルトの外周面に設けられた複数の第１突出部３０と、第２ベルトの外周面に設けられた複数の第２突出部４０と、各ベルト１０，２０の間のワイヤＷＡに上方から当接可能な第１ガイド部材５１と、各ベルト１０，２０の間のワイヤＷＡに下方から当接可能な第２ガイド部材５２と、第１ベルト１０の内側に設けられた規制部材としての第１ガイドプレート６１と、第２ベルト２０の内側に設けられた規制部材としての第２ガイドプレート６２とを備えている。また、ワイヤＷＡは予め未加硫ゴムによって被覆されれている。
【００１４】
第１ベルト１０は補強コードによって補強された周知の帯状ゴムから成り、一対のローラ１１によって回動自在に支持されている。各ローラ１１はワイヤＷＡの長さ方向に互いに間隔をおいて配置され、各ローラ１１の間の第１ベルト１０のうち一方がワイヤＷＡに沿っている。即ち、第１ベルト１０はワイヤＷＡに沿って回動する。
【００１５】
第２ベルト２０は補強コードによって補強された周知の帯状ゴムから成り、一対のローラ２１によって回動自在に支持されている。各ローラ２１はワイヤＷＡの長さ方向に互いに間隔をおいて配置され、各ローラ２１の間の第２ベルト２０のうち一方がワイヤＷＡに沿っている。即ち、第２ベルト２０はワイヤＷＡに沿って回動する。また、第２ベルト２０のワイヤＷＡ側の部分が第１ベルト１０のワイヤＷＡ側の部分と対向している。
【００１６】
各第１突出部３０は第１ベルト１０の外周面にそれぞれ固定され、互いにワイヤＷＡの長さ方向に所定の間隔をおいて配置されている。また、各第１突出部３０は先端部３０ａが円弧状に突出する板状部材であり、ワイヤＷＡの外径と同等の厚み寸法を有する。さらに、各第１突出部３０は第１ベルト１０の回動によって移動する。また、各第１突出部３０は第１ベルト１０のワイヤＷＡ側の部分を移動する時に、ワイヤＷＡに一側方から当接する。
【００１７】
各第２突出部４０は第２ベルト２０の外周面にそれぞれ固定され、各第２突出部４０は互いにワイヤＷＡの長さ方向に所定の間隔をおいて配置されている。また、各第２突出部４０は各第１突出部３０とワイヤＷＡの長さ方向に互い違いに配置されている。各第２突出部４０は先端部４０ａが円弧状に突出する板状部材であり、ワイヤＷＡの外径と同等の厚み寸法を有する。また、各第２突出部４０は第２ベルト２０の回動によって移動する。さらに、各第２突出部４０は第２ベルト２０のワイヤＷＡ側の部分を移動する時に、ワイヤＷＡに他側方から当接する。
【００１８】
第１ガイド部材５１はワイヤＷＡの長さ方向に延びる平板状部材から成り、各ベルト１０，２０の間に配置されている。また、第１ガイド５１は各突出部３０，４０が当接しているワイヤＷＡに上方から当接可能である。第１ガイド部材５１の材料ロールＲ側の端部は上方に向かって傾斜している。さらに、第１ガイド５１は各突出部３０，４０の上面に沿うように配置されている。
【００１９】
第２ガイド部材５２はワイヤＷＡの長さ方向に延びる平板状部材から成り、各ベルト１０，２０の間に配置されている。また、第２ガイド５２は各突出部３０，４０が当接しているワイヤＷＡに下方から当接可能である。また、第２ガイド部材５２の材料ロールＲ側の端部は下方に向かって傾斜している。さらに、第２ガイド５２は各突出部３０，４０の下面に沿うように配置されている。即ち、各ガイド部材５１，５２の上下方向の隙間に各突出部３０，４０が配置されている。
【００２０】
第１ガイドプレート６１はワイヤＷＡの長さ方向に延びる平板状部材から成り、第１ベルト１０のワイヤＷＡ側の部分に第１ベルト１０の内側から当接している。第１ガイドプレート６１の材料ロールＲ側の端部はワイヤＷＡの幅方向外側に向かって傾斜している。
【００２１】
第２ガイドプレート６２はワイヤＷＡの長さ方向に延びる平板状部材から成り、第２ベルト２０のワイヤＷＡ側の部分に第２ベルト２０の内側から当接している。第２ガイドプレート６２の材料ロールＲ側の端部はワイヤＷＡの幅方向外側に向かって傾斜している。
【００２２】
以上のように構成された波形状ワイヤ成形装置による波形状ワイヤＷＡの成形は、先ず、材料ロールＲから供給されるワイヤＷＡが各ベルト１０，２０の間、且つ、各ガイド５１，５２の間に挿入される。この時、各ベルト１０，２０の回動によって各突出部３０，４０はワイヤＷＡの長さ方向に移動している。また、各第２突出部４０は各第１突出部３０とワイヤＷＡの長さ方向に互い違いに配置された状態で、ワイヤＷＡの長さ方向に移動している。このため、各ベルト１０，２０の間に挿入されたワイヤＷＡには一側方から各第１突出部３０が当接し、他側方から各第２突出部４０が当接する。これにより、ワイヤＷＡが一側方及び他側方に互い違いに屈曲し、ワイヤＷＡが波形状に成形される。また、各ベルト１０，２０が回動しているので、ワイヤＷＡはその長さ方向に搬送されながら連続的に波形状に成形される。ここで、各突出部３０，４０がワイヤＷＡに側方から当接することによりワイヤＷＡが波形状に成形されるので、各ベルト１０，２０の間隔を小さくして各突出部３０，４０の位置を変えることにより、波形状に成形されたワイヤＷＡの幅寸法を大きくすることができる。また、各第１突出部３０のワイヤＷＡの長さ方向の間隔及び各第２突出部４０のワイヤＷＡの長さ方向の間隔を大きくすることにより、ワイヤＷＡに成形される波形状の間隔を大きくすることができる。
【００２３】
ここで、各ベルト１０，２０のワイヤＷＡ側には各ベルト１０，２０の内側からそれぞれ各ガイドプレート６１，６２が当接している。このため、各突出部３０，４０がワイヤＷＡに当接し、ワイヤＷＡの反力によって各突出部３０，４０にワイヤＷＡの幅方向外側に向かう力が加わっても、各ベルト１０，２０はワイヤＷＡの幅方向外側に撓まない。即ち、各突出部１０，２０がワイヤＷＡの幅方向に位置ずれを生ずることがない。
【００２４】
さらに、各突出部３０，４０が当接しているワイヤＷＡには各ガイド５１，５２が上下方向から当接し、各ガイド５１，５２によってワイヤＷＡの上下方向への屈曲が規制される。
【００２５】
各ベルト１０，２０の間を通過したワイヤＷＡは搬送ガイド７０によって所定の方向に搬送される。搬送ガイド７０の先端の下方には未加硫タイヤを成形するための成形ドラム７１が配置され、波形状に成形されたワイヤＷＡは成形ドラム７１の上方に送り出される。成形ドラム７１にはトレッド部材を巻付ける前のベルト部材ＢＥが巻付けられており、成形ドラム７１の上方に送り出されたワイヤＷＡはベルト部材ＢＥの外周面にゲットローラ７２によって押付けられる。ゲットローラ７２は成形ドラム７１と平行に配置された円筒状部材であり、ワイヤＷＡをベルト部材ＢＥに押付けながら回転する。これにより、ベルト部材ＢＥの外周面に波形状に成形されたワイヤＷＡが貼付けられる。
【００２６】
このように、本実施形態によれば、互いにワイヤＷＡの長さ方向に間隔をおいて配置された第１突出部３０がワイヤＷＡに一側方から当接するとともに、各第１突出部３０とワイヤＷＡの長さ方向に互い違いに配置された第２突出部４０がワイヤＷＡに他側方から当接することにより、ワイヤＷＡが一側方及び他側方に互い違いに屈曲し、また、各ベルト１０，２０の回動によってワイヤＷＡが長さ方向に搬送されることから、材料ロールＲから供給されるワイヤＷＡを連続的に波形状に成形することができるとともに、各突出部３０，４０の位置を変えることにより波形状に成形されたワイヤＷＡの幅寸法を容易且つ確実に調整することができる。即ち、複雑な制御を行うことなくワイヤＷＡを確実に所定の波形状に成形することができる。
【００２７】
また、各突出部３０，４０が当接しているワイヤＷＡに上下方向から各ガイド５１，５２を当接させるようにしたので、各突出部３０，４０によって波形状に屈曲するワイヤＷＡの上下方向への屈曲を規制することができ、ワイヤＷＡを確実に所定の波形状に成形する上で極めて有利である。
【００２８】
さらに、各ベルト１０，２０のワイヤＷＡ側には各ベルト１０，２０の内側からそれぞれ各ガイドプレート６１，６２が当接しているので、ワイヤＷＡの反力によって各突出部３０，４０にワイヤＷＡの幅方向外側に向かう力が加わっても、各突出部１０，２０がワイヤＷＡの幅方向に位置ずれを生ずることがなく、ワイヤＷＡを確実に所定の波形状に成形する上で極めて有利である。
【００２９】
尚、本実施形態では、各無端状部材として帯状ゴムからなるベルトを用いたものを示したが、金属製の無端状部材を用いることも可能である。
【００３０】
また、本実施形態では、未加硫ゴムによって被覆されたワイヤＷＡを波形状に成形するものを示したが、本実施形態の波形状ワイヤ成形装置によって未加硫ゴムによって被覆されていないワイヤＷＡを波形状に成形することも可能である。
【００３１】
尚、本実施形態では、一本のワイヤＷＡを波形状に成形するようにしたものを示したが、図９及び図１０に示すように、複数本のワイヤＷＡを予め束ねて未加硫ゴムＲＢで被覆し、束ねられた複数のワイヤＷＡを波形状に成形することも可能である。
【図面の簡単な説明】
【００３２】
【図１】本発明における一実施形態を示す波形状ワイヤ成形装置及び成形ドラムの平面図
【図２】波形状ワイヤ成形装置及び成形ドラムの正面図
【図３】波形状ワイヤ成形装置の平面図
【図４】図１におけるＡ−Ａ線断面図
【図５】波形状ワイヤ成形装置の正面図
【図６】波形状ワイヤ成形装置の要部斜視図
【図７】成形ドラムの平面図
【図８】成形ドラムの正面図
【図９】複数本束ねられたワイヤの平面図
【図１０】図９におけるＢ−Ｂ線断面図
【符号の説明】
【００３３】
１０…第１ベルト、１１…ローラ、２０…第２ベルト、２１…ローラ、３０…第１突出部、４０…第２突出部、５１…第１ガイド部材、５２…第２ガイド部材、６１…第１ガイドプレート、６２…第２ガイドプレート、７０…搬送ガイド、７１…成形ドラム、７２…ゲットローラ、Ｒ…材料ロール、ＷＡ…ワイヤ、ＢＥ…ベルト部材。
【図１】
2006334643.tif 000003
【図２】
2006334643.tif 000004
【図３】
2006334643.tif 000005
【図４】
2006334643.tif 000006
【図５】
2006334643.tif 000007
【図６】
2006334643.tif 000008
【図７】
2006334643.tif 000009
【図８】
2006334643.tif 000010
【図９】
2006334643.tif 000011
【図１０】
2006334643.tif 000012